(57)【要約】【課題】スーツケースが不用意に開いてしまう虞れをより確実に防止することができる新規な外装カバーを提供する。【解決手段】カバー本体１をスーツケース１００に被せた後に一対の結束部材３ａ，３ｂを結束してスーツケースに対しカバー本体を固定する。しかる後、締付けベルト２の巻き回し長さを短くすれば、該締付けベルト２と、該締付けベルトが一体に固着されたカバー本体１とでスーツケースの胴部１０１が締付けられる。締付けベルト２はその大部分がカバー本体１に固着されているので、ベルト自体が切れたり、巻き回し位置がずれてスーツケースから外れてしまうような虞れがない。カバー本体１は、結束部材の結束に加え、締付けベルト２による締付けによってスーツケース１００に対ししっかりと固定される。よって、カバー本体や締付けベルトがずれたり外れたりするようなことがないので、スーツケースが意に反して開いてしまう虞れがない。【選択図】  図１
0003113503.tif 000002
【実用新案登録請求の範囲】
【請求項１】
スーツケース（１００）に被せるカバー本体（１）と、該カバー本体の外周に沿って巻き回した一又は複数の締付けベルト（２）からなり、
前記カバー本体（１）は、底面が開口する袋状に形成され、底面開口部（１ａ）の対向縁に、該カバー本体をスーツケースに被せた後に結束する一対の結束部材（３ａ，３ｂ）を備えると共に、上面部（１ｂ）に引き手露出用の窓孔（４）を、側面部（１ｃ）に把手露出用の窓孔（６）を夫々有し、
前記締付けベルト（２）は、前記カバー本体の幅方向にわたり巻き回し状に固着されると共に、その両端部（２ａ，２ｂ）を該カバー本体から離間させ連結具（８）を介して互いに接続し、且つ該締付けベルト（２）の巻き回し長さを調節自在として、
前記締付けベルト（２）と前記カバー本体（１）とでスーツケースの胴部（１０１）を締付けるよう形成したスーツケース用外装カバー。
【請求項２】
前記カバー本体（１）の底面開口部（１ａ）の両端に、スーツケースの底角部（１０６）に引っ掛かる絞り部（７）を設けたことを特徴とする請求項１記載のスーツケース用外装カバー。
【請求項３】
前記連結具（８）が、前記締付けベルトの一方の端部（２ａ）に連結した環状連結具（８）であり、該環状連結具（８）に前記締付けベルトの他方の端部（２ｂ）を挿通して折り返すことで、前記締付けベルトによる巻き回し長さを調節するよう形成したことを特徴とする請求項１又は２記載のスーツケース用外装カバー。
【請求項４】
前記締付けベルト（２）を、前記カバー本体（１）の前面部（１ｄ）から一方の側面部（１ｅ）を経由して背面部（１ｆ）にわたり固着すると共に、該締付けベルトの両端部（２ａ，２ｂ）は前記カバー本体の他方の側面部（１ｃ）の外側にて前記環状連結具（８）で互いに接続し、且つ前記他方の側面部（１ｃ）に前記把手露出用の窓孔（６）を形成して、前記締付けベルト（２）の巻き回し長さの調節箇所をスーツケース胴部の開閉側（１０１ａ）としたことを特徴とする請求項３記載のスーツケース用外装カバー。
【請求項５】
前記カバー本体（１）の高さ方向にわたり巻き回し状に固着される締付けベルトをさらに備えたことを特徴とする請求項１〜４の何れか１項記載のスーツケース用外装カバー。
【考案の詳細な説明】
【技術分野】
【０００１】
本考案はスーツケース用外装カバ一に関し、詳しくは、スーツケースが不用意に開いてしまうことを防止する機能を備えた新規な外装カバ一に関する。
【背景技術】
【０００２】
従来、スーツケースの外装カバーとして、例えば実用新案登録第２５１８１４６号に開示されるような、スーツケースに被せる底面開放状の袋体の上面、側面の二箇所に窓孔を有すると共に、底面開口の両縁に付設された一対の結束用紐状縁を備え、袋体をスーツケースに被せた後、結束用紐状縁同士を結ぶよう形成したものが知られている。
このような従来の外装カバーは、スーツケースを例えば宅配便などで自宅から空港へ運送する際に、スーツケース表面に汚れや傷などが付くことを防ぐものであり、スーツケースが不用意に開いてしまうことを防止する機能は備えていない。
【考案の開示】
【考案が解決しようとする課題】
【０００３】
スーツケースは通常、胴部を閉じた状態を維持するための施錠装置を備えているが、近年、ハイジャック等のテロ行為対策の一環として、飛行機に搭載する際には施錠装置によるロックが禁止されている。
運送時等にスーツケースが意に反して開くことを防止するものとして、スーツケースの胴部の周囲に巻き付ける締付けベルトが従来から知られているが、この種締付けベルトは、永年の使用や使用環境などによりベルト自体が切れたり、スーツケースからずれて外れてしまう虞れがないとは言えない。
【０００４】
本考案はこのような従来事情に鑑みてなされたもので、その目的とするところは、スーツケースが不用意に開いてしまう虞れをより確実に防止することができる新規な外装カバーを提供することにある。
【課題を解決するための手段】
【０００５】
以上の目的を達成するために、本考案に係るスーツケース用外装カバ一は、スーツケース（１００）に被せるカバー本体（１）と、該カバー本体の外周に沿って巻き回した一又は複数の締付けベルト（２）からなり、
前記カバー本体（１）は、底面が開口する袋状に形成され、底面開口部（１ａ）の対向縁に、該カバー本体をスーツケースに被せた後に結束する一対の結束部材（３ａ，３ｂ）を備えると共に、上面部（１ｂ）に引き手露出用の窓孔（４）を、側面部に把手露出用の窓孔（６）を夫々有し、
前記締付けベルト（２）は、前記カバー本体の幅方向にわたり巻き回し状に固着されると共に、その両端部（２ａ，２ｂ）を該カバー本体から離間させ連結具（８）を介して互いに接続し、且つ該締付けベルト（２）の巻き回し長さを長さ調節自在として、
前記締付けベルト（２）と前記カバー本体（１）とでスーツケースの胴部（１０１）を締付けるよう形成したことを特徴とする。
カバー本体（１）に対する締付けベルト（２）の固着手段としては、縫着、或いは接着等の手段が挙げられる。
【０００６】
このような構成によれば、カバー本体（１）をスーツケース（１００）に被せた後に一対の結束部材（３ａ，３ｂ）を結束してスーツケースに対しカバー本体を固定する。しかる後、締付けベルト（２）の巻き回し長さを短くすれば、該締付けベルトと、該締付けベルトが一体に固着されたカバー本体とでスーツケースの胴部（１０１）が締付けられる。締付けベルトはその大部分がカバー本体に固着されているので、ベルト自体が切れたり、巻き回し位置がずれてスーツケースから外れてしまうような虞れがない。また、カバー本体は、一対の結束部材の結束に加え、締付けベルトによる締付けによってスーツケースに対ししっかりと固定される。よって、カバー本体や締付けベルトがずれたり外れたりするようなことなく、スーツケースの不用意な開きをより確実に防止することができる。
【０００７】
本考案において、締付けベルト（２）は、スーツケースの幅方向に対しほぼ中央の一箇所に巻き付けるよう一本固着しても良いし、同幅方向に対し左右二箇所以上に巻き付けるよう二本以上固着しても良い。
また、カバー本体の幅方向（横方向）にわたり一又は複数の締付けベルトを巻き回し状に固着することに加え、カバー本体の高さ方向（縦方向）にわたり一又は複数の締付けベルトを巻き回し状に固着すれば、スーツケースの不用意な開きをより確実に防止することができる。
【０００８】
前記カバー本体（１）の底面開口部（１ａ）の両端に、スーツケースの底角部（１０６）に引っ掛かる絞り部（７）を設けることが好ましい。
この場合、スーツケースに被せたカバー本体の抜けやずれをより確実に防止することができる。
【０００９】
本考案における締付けベルト（２）の具体的態様として、前記連結具（８）が、締付けベルトの一方の端部（２ａ）に連結した環状連結具（８）であり、該環状連結具（８）に締付けベルトの他方の端部（２ｂ）を挿通して折り返すことで、前記締付けベルトによる巻き回し長さを調節するよう形成した態様をあげることができる。この場合、締付けベルトによる巻き回し長さの調節を容易に行うことができるため好ましい。
尚、これ以外にも、前記連結具が、前記締付けベルトの両端部（２ａ，２ｂ）に夫々固定した着脱自在な雄側と雌側の連結具であると共に、該締付けベルトの少なくとも一方の端部の長さを調節自在として締付けベルトによる巻き回し長さを調節するよう形成した態様をあげることができる。
【００１０】
また、本考案における締付けベルト（２）の具体的態様として、締付けベルトをカバー本体の前面部（１ｄ）から一方の側面部（１ｅ）を経由して背面部（１ｆ）にわたり固着すると共に、該締付けベルトの両端部（２ａ，２ｂ）は前記カバー本体の他方の側面部（１ｃ）の外側にて前記環状連結具（８）で互いに接続し、且つ前記他方の側面部（１ｃ）に前記把手露出用の窓孔（６）を形成して、前記締付けベルト（２）の巻き回し長さの調節箇所をスーツケース胴部の開閉側（１０１ａ）とする態様をあげることができる。
この場合、締付けベルトによる締付け操作を行う箇所が、スーツケースにおける把手（１２）取り付け箇所、すなわち、スーツケース胴部の開閉側（１０１ａ）になるので、スーツケースが不用意に開いてしまうことをより確実に防止することができる。また、外装カバーを被せたままで把手（１０２）を掴んでスーツケースを持ち運ぶ際に、連結具（８）が邪魔にならないなどの利点がある。
【考案の効果】
【００１１】
本考案に係るスーツケース用外装カバーは以上説明したように、スーツケースに被せるカバー本体に巻き回し状に締付けベルトを固着すると共に該締付けベルトの巻き回し長さを調節自在とし、互いに一体化された締付けベルトとカバー本体とでスーツケースの胴部を締付けるようになるので、カバー本体のみを装着する場合、締付けベルトのみを装着する場合、カバーを装着した上から締付けベルトで締付ける場合などに比べ、スーツケースの不用意な開きをより確実に防止することができる。
よって、施錠装置によるロックが禁止された飛行機への搭載時などに好適に用いることができるなど、多くの効果を有する。
【考案を実施するための最良の形態】
【００１２】
以下、本考案に係るスーツケース用外装カバーの実施形態の一例を図面を参照しながら説明する。図中の符号Ａは本例のスーツケース用外装カバー、１００はスーツケースを夫々示し、スーツケース１００は、胴部１０１の開閉側１０１ａに把手１０２を備えると共に、伸縮自在な引き手１０３、キャスター１０４、補助把手１０５などを備えた周知のものである。
本例のスーツケース用外装カバーＡは、スーツケース１００に被せるカバー本体１と、該カバー本体１の外周に沿って巻き回した二本の締付けベルト２からなる。
【００１３】
カバー本体１は、ナイロンやポリエステルなどの伸縮性の低い素材を用いて、底面が開口する袋状に形成され、底面開口部１ａの対向縁に一対の結束部材３ａ，３ｂを備えると共に、上面部１ｂに引き手露出用の窓孔４と補助把手露出用の窓孔５を、側面部１ｃに把手露出用の窓孔６を夫々有し、スーツケース１００に被せた後に一対の結束部材３ａ，３ｂを互いに結束することでスーツケース１００に対し固定されるようになっている。
また、カバー本体１は、雨などのしぶきをはじくと共に擦り傷や汚れなどが付きにくいよう、表面に撥水加工を施してある。
【００１４】
本例では、一方の結束部材３ａの表面と、他方の結束部材３ｂの裏面にそれぞれ着脱自在に係合する雄雌係合部材としてのベルベットファスナーを設けて一対の結束部材３ａ，３ｂを容易に結束しうるようにしたが、これに限定されず、紐状とした一対の結束部材を結んで結束するようにするなど、任意である。
【００１５】
カバー本体１の底面開口部１ａの両端には、その縁部に沿ってゴム紐を縫着するなどして、スーツケースの底角部１０６に引っ掛かる絞り部７が形成されており、スーツケース１００に被せたカバー本体１の抜けやずれを防止し得るようになっている。
【００１６】
締付けベルト２は、今日、スーツケースの締付け用として使用されているものと同種の麻や皮などの非伸縮性の素材からなり、カバー本体１の幅方向（横方向）にわたって、詳しくは、カバー本体の前面部１ｄから一方の側面部１ｅを経由して背面部１ｆにわたり巻き回し状に縫着されると共に、その両端部２ａ，２ｂはカバー本体１から離間させ連結具８を介して互いに接続し、且つその巻き回し長さを調節自在としている。また、締付けベルト２は、カバー本体１の高さ方向（縦方向）に対し、前記把手用窓孔６を挟んで上下二箇所に配設されている。
【００１７】
連結具８は、締付けベルト２の一端部２ａに連結した環状連結具８であり、該環状連結具８に他端部２ｂを挿通して折り返すことで、締付けベルト２による巻き回し長さを調節して、締付けベルト２とカバー本体１とでスーツケースの胴部１０１を締付けるようになっている。
【００１８】
本例では、締付けベルトの両端部２ａ，２ｂはカバー本体の他方の側面部１ｃの外側にて前記環状連結具８で互いに接続され、且つ前記他方の側面部１ｃに前記把手露出用の窓孔６を形成しているので、締付けベルト２の巻き回し長さの調節箇所がスーツケース胴部１０１の開閉側１０１ａとなる。よって、同調節箇所がスーツケース胴部１０１の枢着側１０１ｂとなる場合に比べ、スーツケースが不用意に開いてしまうことをより確実に防止することができる。
【００１９】
以上の構成になる本例の外装カバ一Ａを使用する場合は、スーツケース１００の上方からカバー本体１を被せて、引き手１０３を窓孔４に、補助把手１０５を窓孔５に、把手１０２を窓孔６に夫々臨ませると共に、一対の結束部材３ａ，３ｂを互いに結束することでスーツケース１００に対しカバー本体１を固定する。
しかる後、夫々の締付けベルト２において、環状連結具８に挿通して折り返された他端部２ｂを引っ張り、締付けベルト２による巻き回し長さを短くする（巻き回し状の締付けベルトを縮径する）。これにより、夫々の締付けベルト２でスーツケースの胴部１０１が締付けられると共に、これら締付けベルト２が縫着一体化されたカバー本体１も一体的に縮径して、締付けベルト２と共にスーツケースの胴部１０１を締付ける。よって、カバー本体１や締付けベルト２がずれたり外れたりするようなことなく、スーツケース１００の不用意な開きを確実に防止することができる。
また、スーツケース１００の引き手１０３や把手１０５，１０２が窓孔４，５，６から露出するので、カバー本体１を被せたままの状態でスーツケース１００を持ち運ぶことができる。
【００２０】
尚、図示例ではカバー本体１の幅方向（横方向）にわたり二本の締付けベルト２を巻き回し状に固着したが、これに限定されず、カバー本体１の幅方向にわたり一本又は三本以上の締付けベルト２を巻き回し状に固着しても良い。
スーツケース１００を手荒に扱われたとしても胴部が開かないようにするには、二本以上の締付けベルト２を備えることが好ましい。
【００２１】
また、図示は省略するが、幅方向の締付けベルト２に加え、カバー本体１の高さ方向（縦方向）にわたり一本又は二本以上の締付けベルト２を巻き回し状に固着することがより好ましい。その場合、締付けベルト２を、カバー本体１の前面部１ｄから上面部１ｂを経由して背面部１ｆにわたり固着する。そして、該締付けベルトの両端部２ａ，２ｂはカバー本体の底面開口部１ａの外側にて、スーツケース１００を被せた後に、前記環状連結具８又は前述した着脱自在な雄側と雌側の連結具などで互いに接続するよう構成する。
【００２２】
以上、本考案の実施形態の一例を図面に基づき説明したが、本考案に係るスーツケース用外装カバ一は図示例に限定されず、実用新案登録請求の範囲に記載された技術思想の範疇において種々の変更が可能であることは言うまでもない。
【図面の簡単な説明】
【００２３】
【図１】本考案に係るスーツケース用外装カバーの実施形態の一例を示す斜視図で、使用前の状態を表す。
【図２】図１に係る外装カバーの使用状態を示す斜視図。
【符号の説明】
【００２４】
Ａ：外装カバー
１：カバー本体
１ａ：カバー本体の底面開口部
２：締付けベルト
２ａ，２ｂ：締付けベルトの端部
３ａ，３ｂ：結束部材
４：引き手用窓孔
５，６：把手用窓孔
７：絞り部
８：環状連結具
１００：スーツケース
１０１：胴部
１０１ａ：開閉側
１０２：把手
１０３；引き手
【図１】
0003113503.tif 000003
【図２】
0003113503.tif 000004